(57)【要約】【課題】被印刷板を受ける支持体の位置を、基板上における所望のどこの位置にとることもできるようにすることに加えて、極めて薄いフレキシブルな被印刷板にあっては、これに張りを持たせて常にフラットな状態を維持し、また反った被印刷板にあっては、反っている状態からフラットな状態に戻して維持することができるようにする。【解決手段】基板１を磁性体をもって構成する。被印刷板を受けるピン状の支持体２又は板状の支持体８は、その下端部に永久磁石を固着し、該永久磁石の磁力による吸着によって基板１上に保持するようにする。また、ピン状の支持体２又は板状の支持体８は、夫々その上端面に吸引口３、９を設けると共に該吸引口３、９を適宜の真空装置に接続する。そして該吸引口３、９によって被印刷板を吸着する。【選択図】図１
2006116790.tif 000002
【特許請求の範囲】
【請求項１】
基板を磁性体をもって構成すると共に、被印刷板を受けるピン状又は板状の支持体を、該支持体の下端部に固着した永久磁石の磁力による吸着によって前記基板上に保持するようになしたスクリーン印刷機の被印刷板の保持機構における下面支え部材において、支持体の上端面に吸引口を設けると共に該吸引口を適宜の真空装置に接続し、該吸引口によって被印刷板を吸着するようになしたことを特徴とするスクリーン印刷機の被印刷板の保持機構における下面支え部材。
【請求項２】
永久磁石が、円形の永久磁石であり、且つ端面が該永久磁石より突出する環状磁性体を外嵌してなる永久磁石である請求項１記載のスクリーン印刷機の被印刷板の保持機構における下面支え部材。
【発明の詳細な説明】
【技術分野】
【０００１】
本発明はスクリーン印刷機の被印刷板の保持機構における下面支え部材に関するものである。
【背景技術】
【０００２】
スクリーン印刷機により印刷する場合、プリント基板等の被印刷板の片面に印刷して部品を実装したものについて、再度もう一方の面に印刷する場合がある。
【０００３】
このような場合には、スキージによる印刷剤の塗布が均一になるように、プリント基板等の被印刷板を下面から支えて平らな状態を保持するようにしなければならない。
【０００４】
図６には従来の被印刷板の保持機構を示しており、また図７にはそれにおいて用いられている被印刷板の下面支え部材を示している。
【０００５】
図６において１０１は被印刷板の保持機構である。また、該被印刷板の保持機構１０１は平行する支持台１０２、１０２と、該支持台１０２、１０２に沿って被印刷板を送る移送ベルト１０３と、前記支持台間に所定のタイミングで起伏するように設けられた、被印刷板の移動方向の前端と後端を挟持する部材１０４、１０４と、前記支持台１０２、１０２の夫々に所定のタイミングで内方に向けてスライドするように設けられた、被印刷板の移動方向の左右両縁の上面を押さえる部材１０５、１０５と、被印刷板の位置を確認するカメラ（図示せず。）と、前記支持台１０２、１０２間に配設され、上面の被印刷板に実装された部品を避ける位置に多数のピン１０６を植立した、所定のタイミングで上昇して被印刷板の下面を支える部材１０７とをもって構成されている。
【０００６】
そして、上記機構において被印刷板の下面を支える部材１０７は、基板１０７Ａの上面に設けた縦横に整列する多数の穴１０７ａ、１０７ａ、１０７ａ・・・に、ピン１０６の下端部に設けた突起（図示せず。）を差し込んで、各ピン１０６を適宜の位置に植立する構造となっている。
【０００７】
ところで、被印刷板に実装される部品の位置は、各被印刷板によって様々である。しかし、従来の斯かる構造であると、各ピン１０６、１０６の位置は穴１０７ａ、１０７ａの位置によって決定付けられており、それが用いられる被印刷板における実装部品の位置に対して正確に対応することができなかった。即ち、微調整ができず、理想とする支持ポイントを支えることができなかった。
【０００８】
そしてまた、この点を改善すべく、基板を磁性体をもって構成すると共に、被印刷板を受けるピン状又は板状の支持体を、該支持体の下端部に固着した永久磁石の磁力による吸着によって前記基板上に保持するようになしたものが案出された。
【０００９】
斯かる構成によると、被印刷板を受ける支持体の位置を、基板上における所望のどこの位置にとることもできることになる。したがって、微調整が可能となって、被印刷板毎に実装部品の位置が異なっても、夫々において理想とする支持ポイントを支えることができることになる。
【００１０】
しかし、また斯かる構成は、容易に撓まない程の相当な厚味を有し且つ完全にフラットな被印刷板に対してのみ有効である。プリント基板等の被印刷板の中にはフィルムの如く極めて薄いフレキシブルなものや、いくらか柔軟性があるが反っているもの等がある。斯かる構成では単に被印刷板を下面から受け支えているに過ぎないから、これらの場合に対して有効に対処することができない。即ち、フィルムの如く極めて薄いフレキシブルなものの場合には、スキージの移動等によって印刷時に外力が加わると部分的に撓んでしまい、また反ったものの場合には、そのまま印刷すると当然のことながら印刷剤の塗布がむらになる。
【発明の開示】
【発明が解決しようとする課題】
【００１１】
本発明は上記の点に鑑みなされたものであって、被印刷板を受ける支持体の位置を、基板上における所望のどこの位置にとることもできるという利点に加えて、支持体の上端面に吸引口を設けて吸着することにより、フィルムの如く極めて薄いフレキシブルな被印刷板にあっては、これに張りを持たせて常にフラットな状態を維持し、また反った被印刷板にあっては、反っている状態からフラットな状態に戻して維持することができるという効果を奏するようになしたスクリーン印刷機の被印刷板の保持機構における下面支え部材を提供せんとするものである。
【課題を解決するための手段】
【００１２】
而して、本発明の要旨とするところは、基板を磁性体をもって構成すると共に、被印刷板を受けるピン状又は板状の支持体を、該支持体の下端部に固着した永久磁石の磁力による吸着によって前記基板上に保持するようになしたスクリーン印刷機の被印刷板の保持機構における下面支え部材において、支持体の上端面に吸引口を設けると共に該吸引口を適宜の真空装置に接続し、該吸引口によって被印刷板を吸着するようになしたことを特徴とするスクリーン印刷機の被印刷板の保持機構における下面支え部材にある。
【００１３】
また、上記構成において、永久磁石として円形の永久磁石を用い且つ端面が該永久磁石より突出する環状磁性体を外嵌してなる永久磁石を用いることが望ましい。この場合には環状磁性体の端面の磁力が著しく高まり、強い吸着力を得られるから、支持体を基板上により安定的に保持することができる。
【発明の効果】
【００１４】
本発明は上記の如き構成であるから、被印刷板を受ける支持体の位置を、基板上における所望のどこの位置にとることもできるという利点に加えて、フィルムの如く極めて薄いフレキシブルな被印刷板にあっては、これに張りを持たせて常にフラットな状態を維持し、また反った被印刷板にあっては、反っている状態からフラットな状態に戻して維持することができるという効果を奏するものである。
【発明を実施するための最良の形態】
【００１５】
本発明を実施するための最良の形態は、基板を磁性体をもって構成すると共に、被印刷板を受けるピン状又は板状の支持体を、該支持体の下端部に固着した永久磁石の磁力による吸着によって前記基板上に保持するようになしたものにおいて、支持体の上端面に吸引口を設けると共に該吸引口を適宜の真空装置に接続し、該吸引口によって被印刷板を吸着するようになすことにある。
【実施例】
【００１６】
以下、本発明の実施例について図面を参照しつつ説明する。
図１は本発明の実施例に係る被印刷板の下面を支える部材の斜視図、図２はピン状の支持体の斜視図、図３はピン状の支持体の中央縦断正面図、図４は板状の支持体の斜視図、図５は板状の支持体の中央縦断正面図である。
【００１７】
図中、１は基板であり、図示しない昇降台上にセットされる。そしてまた、該基板１は磁性体をもって構成されている。２、２、２・・・は後記永久磁石の磁力による吸着によって前記基板１上に保持されるピン状の支持体である。また、これらのピン状の支持体２は、夫々その上端面に吸引口３を設けると共に該吸引口３を適宜の真空装置（図示せず。）に接続し、該吸引口３によって被印刷板を吸着するものである。また、図において４はピン状の支持体２内に設けられた、吸引口３に連通する空気通路、４ａは該空気通路４と真空装置への接続パイプ（図示せず。）との連結具である。また、該ピン状の支持体２は、直径の異なるものを数種類用意することが望ましい。
【００１８】
５は前記ピン状の支持体２の下端部に固着した円形の永久磁石であり、本実施例では、有底円筒状の磁性体６内に嵌合し、該有底円筒状の磁性体６の底部に突設したボルト７を、ピン状の支持体２の下端部に穿設した雌ネジ２ａに螺合させて固着している。また、前記の通り該永久磁石５は有底円筒状の磁性体６内に嵌合されるが、その外端面は該有底円筒状の磁性体６の環状部分の外端より内側になるようにしている。尚、永久磁石５のピン状の支持体２への固着手段は、本実施例に限定されるものではなく、単にそれ自身の吸着力によって吸着するようにしてもよいし、接着によって行ってもよい。また、本実施例の如き有底円筒状の磁性体によらないで、環状磁性体（図示せず。）を用い、該環状磁性体を、その端面が永久磁石より突出するようにして該永久磁石に外嵌し、この状態においてピン状の支持体２に吸着させるようにしてもよい。
【００１９】
８、８、８・・・は前記ピン状の支持体２と同様に後記永久磁石の磁力による吸着によって前記基板１上に保持される板状の支持体である。また、これらの板状の支持体８は、夫々その上端面に吸引口９を設けると共に該吸引口９を適宜の真空装置（図示せず。）に接続し、該吸引口９によって被印刷板を吸着するものである。また、図において１０は板状の支持体８内に設けられた、吸引口９に連通する空気通路、１０ａは該空気通路１０と真空装置への接続パイプ（図示せず。）との連結具である。また、該板状の支持体８は、長さ及び／又は厚みの異なるものを数種類用意することが望ましい。尚、該板状の支持体８は、前記ピン状の支持体２と同時に、又は単独で用いられる。
【００２０】
１１は前記板状の支持体８の下端部に固着した円形の永久磁石であり、本実施例では、有底円筒状の磁性体１２内に嵌合し、該有底円筒状の磁性体１２の底部に突設したボルト１３を、板状の支持体８の下端部に穿設した雌ネジ８ａに螺合させて固着している。また、前記の通り該永久磁石１１は有底円筒状の磁性体１２内に嵌合されるが、その外端面は該有底円筒状の磁性体１２の環状部分の外端より内側になるようにしている。尚、永久磁石１１の板状の支持体８への固着手段は、本実施例に限定されるものではなく、単にそれ自身の吸着力によって吸着するようにしてもよいし、接着によって行ってもよい。また、本実施例の如き有底円筒状の磁性体によらないで、環状磁性体（図示せず。）を用い、該環状磁性体を、その端面が永久磁石より突出するようにして該永久磁石に外嵌し、この状態において板状の支持体８に吸着させるようにしてもよい。
【００２１】
次に、本実施例の作用について説明する。
ピン状の支持体２又は板状の支持体８は、それらの下端部に固着した永久磁石５、１１の磁力による吸着によって基板１上に保持されるものであるから、位置を微妙にずらすことができ、したがって、基板１上における所望のどこの位置にとることもできるものである。そして、これにより被印刷板毎に実装部品の位置が異なっても、夫々において理想とする支持ポイントを支えることができるものである。そしてまた、それら支持体２、８の上端面に設けた吸引口３、９によって吸着することにより、フィルムの如く極めて薄いフレキシブルな被印刷板にあっては、これに張りを持たせて常にフラットな状態を維持し、また反った被印刷板にあっては、反っている状態からフラットな状態に戻して維持することができるものである。
【図面の簡単な説明】
【００２２】
【図１】本発明の実施例に係る被印刷板の下面を支える部材の斜視図である。
【図２】ピン状の支持体の斜視図である。
【図３】ピン状の支持体の中央縦断正面図である。
【図４】板状の支持体の斜視図である。
【図５】板状の支持体の中央縦断正面図である。
【図６】従来の被印刷板の保持機構の斜視図である。
【図７】従来の被印刷板の下面を支える部材の斜視図である。
【符号の説明】
【００２３】
１  基板
２  ピン状の支持体
３  吸引口
５  永久磁石
８  板状の支持体
９  吸引口
１１  永久磁石
【図１】
2006116790.tif 000003
【図２】
2006116790.tif 000004
【図３】
2006116790.tif 000005
【図４】
2006116790.tif 000006
【図５】
2006116790.tif 000007
【図６】
2006116790.tif 000008
【図７】
2006116790.tif 000009